(57)【特許請求の範囲】
【請求項１】
磁性粉末と樹脂とからなる単一の成形体であり側面の軸方向にＮ極とＳ極が交互に多極磁化された柱状ボンド磁石と、その柱状ボンド磁石を取り囲むコイルを有するコイル部材と、前記柱状ボンド磁石が貫通する受入孔を有し前記柱状ボンド磁石の軸方向への往復運動を支承する軸受け部材と、を備えたシャフト型リニアモータにおいて、
前記柱状ボンド磁石は、前記軸受け部材との間の摺動抵抗を低減させる潤滑剤が含有されており、
前記潤滑剤は、前記柱状ボンド磁石の中心部よりも周縁部で濃度が高く、
前記柱状ボンド磁石の側面が前記軸受け部材の受入孔の内周面に当接されていることを特徴とするシャフト型リニアモータ。
【請求項２】
前記軸受け部材の受入孔の内周面には、溝が所定の間隔を空けて繰り返し設けられている請求項１に記載のシャフト型リニアモータ。
【請求項３】
前記潤滑剤がステアリン酸またはその金属塩である請求項1に記載のシャフト型リニアモータ。
【請求項４】
前記潤滑剤がステアリン酸亜鉛である請求項３に記載のシャフト型リニアモータ。
【請求項５】
前記磁性粉末が、異方性の希土類−鉄−窒素系合金粉末である請求項１から５のいずれか一項に記載のシャフト型リニアモータ。
【発明の詳細な説明】
【技術分野】
【０００１】
本発明は、柱状ボンド磁石を軸部材に利用して、軸部材の軸方向への往復運動を行うシャフト型リニアモータに関する。
【背景技術】
【０００２】
シャフト型リニアモータは、コイル部材が配置されたハウジングと、このハウジングに対して進退自在に設けられると共に軸方向に沿って所定のピッチで多数の磁極が配列された軸部材と、から構成されている。コイル部材は、軸部材の周囲に遊嵌すると共にハウジングに固定されており、軸部材の軸方向へ駆動される。さらに、ハウジングには、軸部材の進退を支承する軸受け部材が配置されている。
【０００３】
例えば、特開２００５−３３１１０４号公報に開示されるシャフト型リニアモータは、図８に示されるように、軸部材１の軸方向への往復運動を支承する軸受け部材４を備えており、この軸受け部材４は、軸部材１が貫通する受入孔を有し、この受入孔に面した内周面には所定の間隔をおいて溝４０が繰り返し形成されている。この軸部材１は、図７に示されるように、例えば、複数個の焼結磁石を同種の磁極が反発するように並べてステンレス製のパイプ３０１に嵌め込んで蓋３０２をして構成されている。そして、軸受け部材４の受入孔の内径は、軸部材１の外径と同じかそれよりも小さく形成されており、軸部材１の外周面に対して所謂締まり嵌めの状態で圧接している。このような軸受け部材４の内周面に複数条の溝４０を設けることにより、軸受け部材４の内周面と軸部材との接触面積を減少させることができる。そのため、軸受け部材４に対する軸部材１の摺動抵抗を抑えることができる。
【０００４】
すなわち、このような軸受け部材とすることにより、軸受け部材と軸部材との隙間を排除して両者間のガタつきを排除して位置精度を向上させ、かかる軸部材の進退運動を円滑にすることができる。
【先行技術文献】
【特許文献】
【０００５】
【特許文献１】特開２００５−３３１１０４号公報
【発明の概要】
【発明が解決しようとする課題】
【０００６】
しかしながら、このような構成からなる従来のシャフト型リニアモータでは、位置精度を向上させることは十分できるものの、摺動抵抗を低減させるには未だ不十分である。
【０００７】
そこで、本発明は、位置精度を向上させるとともに摺動抵抗がさらに低減されたシャフト型リニアモータを提供することを目的とする。
【課題を解決するための手段】
【０００８】
以上の目的を達成するために本発明に係るシャフト型リニアモータは、磁性粉末と樹脂とからなる単一の成形体であり側面の軸方向にＮ極とＳ極が交互に多極磁化された柱状ボンド磁石と、その柱状ボンド磁石を取り囲むコイルを有するコイル部材と、上記柱状ボンド磁石が貫通する受入孔を有し上記柱状ボンド磁石の軸方向への往復運動を支承する軸受け部材と、を備えたシャフト型リニアモータにおいて、上記柱状ボンド磁石は、上記軸受け部材との間の摺動抵抗を低減させる潤滑剤が含有されており、上記柱状ボンド磁石の側面は、上記軸受け部材の受入孔の内周面に当接されていることを特徴とする。
【０００９】
上記軸受け部材の受入孔の内周面には、溝が所定の間隔を空けて繰り返し設けられていることが好ましい。
【００１０】
上記潤滑剤がステアリン酸またはその金属塩であることが好ましい。
【００１１】
上記潤滑剤がステアリン酸亜鉛であることが好ましい。
【００１２】
上記磁性粉末が、異方性の希土類−鉄−窒素系合金粉末であることが好ましい。
【発明の効果】
【００１３】
本発明は、シャフト型リニアモータにおける軸部材とコイル部材との位置精度を向上させるとともに摺動抵抗を低減させることができる。また、本発明は、柱状ボンド磁石の側面を軸受け部材の受入孔の内周面に当接させているので、焼結磁石をパイプに嵌め込んで軸部材とする従来の構成と比較して、部品点数を減らして製造コストを削減することができる。また、柱状ボンド磁石の材料自体に潤滑剤を含有しているので、柱状ボンド磁石と軸受け部材との間の摺動抵抗を低減させるとともに、柱状ボンド磁石を成形する際に、成形用の型からの離型性を向上させることもできる。
【図面の簡単な説明】
【００１４】
【図１】図１は、本発明にかかるシャフト型リニアモータの一実施例を示す正面断面図である。
【図２】図２は、本発明にかかるシャフト型リニアモータの別の一実施例を示す正面断面図である。
【図３】図３は、本発明にかかるシャフト型リニアモータを構成する柱状ボンド磁石の正面図である。
【図４】図４は、本発明にかかるシャフト型リニアモータを構成する柱状ボンド磁石を成形する装置の断面図である。
【図５】図５は、本発明にかかるシャフト型リニアモータを構成する柱状ボンド磁石を配向させる磁石の斜視図である。
【図６】図６は、本発明にかかるシャフト型リニアモータの一実施例を示す正面図である。
【図７】図７は、本発明と比較のために示すシャフト型リニアモータを構成する柱状ボンド磁石の正面図である。
【図８】図８は、本発明と比較のために示すシャフト型リニアモータの部分的な断面図である。
【発明を実施するための形態】
【００１５】
本発明を実施するための最良の形態を、以下に図面を参照しながら説明する。ただし、以下に示す形態は、本発明の技術思想を具体化するためのシャフト型リニアモータを例示するものであって、本発明はシャフト型リニアモータを以下に限定するものではない。
【００１６】
また、本明細書は特許請求の範囲に示される部材を、実施の形態の部材に特定するものでは決してない。実施の形態に記載されている構成部品の寸法、材質、形状、その相対的配置等は、特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細な説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００１７】
側面の軸方向にＮ極とＳ極が交互に多極磁化された柱状ボンド磁石と、その柱状ボンド磁石を取り囲むコイル部材と、そのコイル部材と柱状ボンド磁石との間に、柱状ボンド磁石が貫通する受入孔を有し柱状ボンド磁石の軸方向への往復運動を支承する軸受け部材と、を備えたシャフト型リニアモータにおいて、軸部材とコイル部材との位置精度を向上させるとともに、軸部材と軸受け部材との摺動抵抗を低減させるため、本発明者は鋭意研究した。
【００１８】
その結果、磁性粉末と樹脂とからなる単一の成形体である柱状ボンド磁石に、コイル部材との間の摺動抵抗を低減させる潤滑剤を含有させ、柱状ボンド磁石の側面を、軸受け部材の受入孔の内周面に当接させることにより、摺動抵抗が小さく、長期間にわたって位置精度の高いシャフト型リニアモータを安価に作製できることを見出した。
【００１９】
すなわち、本発明のシャフト型リニアモータは、これまで多数の磁石をパイプに収容して構成した軸部材の代わりに、予め潤滑剤を添加した柱状ボンド磁石用材料を射出成形により一体的に成形した柱状ボンド磁石をそのまま軸部材としたものである。射出成形により一体的に成形させた磁石なので、パイプに収容する必要が無くなり、柱状ボンド磁石はその表面が露出された状態で、シャフト型リニアモータの軸受け部材の内周面で柱状ボンド磁石を直接軸受けできるようになる。本発明の柱状ボンド磁石を軸部材としてシャフト型リニアモータを組み立てたとき、柱状ボンド磁石に添加された潤滑剤が軸受け部材の内周面と柱状ボンド磁石との間の摺動抵抗を軽減させることが本発明者により確認されている。この効果から推測すると、潤滑剤は柱状ボンド磁石の表面に染み出しており、柱状ボンド磁石の表面は潤滑剤で覆われた状態になっていると考えられる。
【００２０】
柱状ボンド磁石を成形するための金型と、柱状ボンド磁石との離型性を向上させるために、柱状ボンド磁石として射出成形する材料に潤滑剤を添加することもできる。本発明は、そのような潤滑剤を含有する柱状ボンド磁石をシャフト型リニアモータに適用することにより、シャフト型リニアモータにおける摺動抵抗を低減させることができる。
【００２１】
図１は、本発明にかかる柱状ボンド磁石（軸部材）１０１を、シャフト型リニアモータの軸受け部材１０２に支承させた例を示すものである。また、図６は、本発明にかかるシャフト型リニアモータの一実施例を示す正面図である。このシャフト型リニアモータは、貫通孔１０５が形成されたハウジング１０３と、貫通孔１０５を貫くようにして配置されると共に軸方向に沿って所定のピッチで多数の磁極が配列された柱状ボンド磁石１０１と、この柱状ボンド磁石１０１の周囲に遊嵌すると共にハウジング１０３に固定され、柱状ボンド磁石１０１を軸方向へ駆動するコイル部材１０４と、貫通孔１０５の両端開口部においてハウジング１０３に固定されると共に柱状ボンド磁石１０１の進退を支承する一対の軸受け部材１０２から構成されている。これにより、柱状ボンド磁石を軸方向へ自在に進退運動させ、任意の位置に停止させることもできる。
【００２２】
図１に示されるように、柱状ボンド磁石１０１とコイル部材１０４は、シャフト型リニアモータを構成しており、コイル部材１０４は柱状ボンド磁石１０１の周囲に僅かな隙間を介して遊嵌している。図３は、本発明にかかるシャフト型リニアモータを構成する柱状ボンド磁石の正面図である。図３に示されるように、柱状ボンド磁石１０１の側面には複数の磁極が配向されていると共に、柱状ボンド磁石１０１の軸方向に沿って複数の磁極が配列されており、外周面は円滑に加工されている。本形態の柱状ボンド磁石１０１は、磁性粉末と樹脂とを混合した材料に配向磁場をかけながら柱状に射出成形したものである。
【００２３】
コイル部材１０４は、金属線を複数巻回させて構成されたコイルから構成されており、このコイルに流れる電流と柱状ボンド磁石によって形成される磁束との相互作用によって、コイルと柱状ボンド磁石の各磁極との間に吸引力および反発力が発生し、柱状ボンド磁石１０１に対してコイル部材１０４が固定されたハウジング１０３が柱状ボンド磁石１０１の軸方向に推進されることとなる。
【００２４】
ハウジング１０３は、軽量かつ熱伝導性に優れた金属を材料とすることが好ましい。例えば、アルミニウムで形成されることが好ましい。これにより、コイルに通電した際にコイルで発生する熱を効率よくハウジング１０３に伝達することができる。さらに、周辺雰囲気中に放熱させ、コイルそのものを効率良く冷却するという観点からすれば、ハウジングの表面には複数の放熱フィンを形成するのが好ましい。
【００２５】
また、図２に示されるように、軸受け部材１０２の内周面には周方向に沿って複数条の溝１０６が所定の間隔をおいて形成されることが好ましい。なお、溝１０６を形成する方向は、柱状ボンド磁石の軸方向でもよいし、柱状ボンド磁石の周方向でもよい。このように軸受け部材１０２の内周面に複数状の溝１０６を形成したことにより、軸部材１０１と軸受け部材１０２との間の接触面積が溝１０６を形成しない場合に比較して小さくなる。そのため、軸受け部材と軸部材との間の摺動抵抗を更に低減することができる。
【００２６】
以下、本形態におけるシャフト型リニアモータを構成する柱状ボンド磁石の製造方法について詳述する。
【００２７】
まず、磁性粉末と樹脂と、潤滑剤とを所定量混合する。磁性粉末は、異方性又は等方性の磁性粉末が適用可能である。例えば、異方性磁性粉末としては、フェライト系、ＳｍＣｏ系、Ｎｄ−Ｆｅ−Ｂ系、Ｓｍ−Ｆｅ−Ｎ系などが挙げられる。等方性磁性粉末としては、Ｓｍ−Ｃｏ系、Ｎｄ−Ｆｅ−Ｂ系などが挙げられる。磁力の強い柱状ボンド磁石を作製する必要がある場合には、異方性磁性粉末を用いることが好ましく、特に、Ｓｍ−Ｆｅ−Ｎ系が好ましい。これは、異方性磁性粉末は、配向の際に印加される磁場によって、磁化方向が非常に揃いやすく、結果的に柱状ボンド磁石の磁力が強くなるためである。上記の磁性粉末は一種類単独でも二種以上を混合物としても使用可能である。また必要に応じて耐酸化処理やカップリング処理を施しても良い。
【００２８】
また、磁性粉末の粒子径は、成形品の表面粗さに直結する。表面が粗いと摺動抵抗が大きくなるので、平均粒子径が３μｍと小さい異方性ＳｍＦｅＮ系を使用するのが好ましい。
【００２９】
樹脂はポリプロピレン、ポリエチレン、ポリ塩化ビニル、ポリエステル、ポリアミド、ポリカーボネート、ポリフェニレンサルファイド、アクリル樹脂等の熱可塑性樹脂や、エステル系、ポリアミド系等の熱可塑性エラストマーが挙げられる。これらを単独でも二種類以上を混合して使用しても良い。
【００３０】
潤滑剤としてはスピンドル油、冷凍機油、タービン油、マシン油、シリンダー油、ギヤ油等の鉱油；流動パラフィン、パラフィンワックス、ポリエチレンワックス等の炭化水素；ラウリン酸、ミリスチン酸、パルミチン酸、ステアリン酸、アラキジン酸、ベヘン酸、モンタン酸等の脂肪酸；ヘキシルアルコール、オクチルアルコール、セチルアルコール、ステアリルアルコール、ベヘニルアルコール、グリコール類、グリセリン、ポリグリセロール、ペンタエリスルトール等のアルコール；ステアリルステアレート、ベヘニルベヘネート、ペンタエリスルトールトリステアレート、ペンタエリスルトールテトラステアレート、グリセリンモノステアレート、グリセリンモノベヘネート等の脂肪酸エステル；ステリルアミド、パルミチルアミド、オレイルアミド、メチレンビスステアロアミド、エチレンビスステアロアミド等の脂肪酸アミド；ステアリン酸カルシウム、ステアリン酸マグネシウム、ステアリン酸亜鉛等の金属石鹸；モンタンロウ等の天然ワックス；シリコーン等が挙げられる。これらの材料を単独で使用しても良いし、二種類以上を混合して使用しても良い。潤滑剤は、ステアリン酸またはその金属塩であることが好ましい。さらに、潤滑剤がステアリン酸亜鉛であることが好ましい。このような潤滑剤とすることにより、摺動抵抗を容易に低減させることができるからである。また、潤滑剤は、柱状ボンド磁石の断面の中心部よりも周縁部で濃度が高いことが好ましい。これにより、シャフト型リニアモータを長時間駆動しても摺動抵抗を低減させる効果が維持できるからである。また、柱状ボンド磁石を成形する際に、成形用の金型からの離型性を向上させることもできる。
【００３１】
上述の磁性粉末、樹脂および潤滑剤を含有する混合原料を、単軸押出機で溶融押出しを行い、ストランドが固化した後、ストランドカッターでペレタイジングしてペレットを得る。このペレットを材料として射出成形した後、着磁コイルでパルス着磁を行い、柱状ボンド磁石を得る。
【００３２】
本形態の柱状ボンド磁石の射出成形について詳述する。本形態の柱状ボンド磁石は、射出成形により一体的に形成させているので、従来のように複数の焼結磁石の同極を反発させながら組み立てる方法と比較して、組立時間を短縮させることができる。
【００３３】
図４は、本形態における柱状ボンド磁石を成形するための装置の断面を模式的に示す。図４に基づいて説明すると、ゲート２０６から射出された、溶融コンパウンド中の異方性磁性粉末は、キャビティ２０５の内部に充填され、柱状に成形される。
【００３４】
さらに溶融コンパウンドが、金型内部で固化するまでの間に、配向用の永久磁石２０１、２０２によって磁性材料の磁化容易軸が揃えられる。金型内で十分に固化したあと、成形された柱状ボンド磁石は、エジェクタピン２０３によって突き出される。
【００３５】
図５は、本形態における柱状ボンド磁石を成形するキャビティ２０５の外側に配置させる配向用の永久磁石２０１、２０２を示す。図５に示されるように、配向用の永久磁石２０１、２０２は、例えば、断面コの字型の小磁石２０１ａ（２０２ａ）、小磁石２０１ｂ（２０２ｂ）の同種の磁極が対向するように配置している。さらに、配向用の永久磁石２０１、２０２は、キャビティ２０５を形成するように、コの字形状を向かい合わせに配置されている。そのため、例えば、Ｎ極同士の対向面の場合、その対向面で磁力線が反発して、強力な磁界を発生しキャビティ内部へ向かう。その後、磁力線は、隣接するＳ極同士が対向する面へと続く。この磁力線にそって、コンパウンド中の異方性磁性粉末が配向することによって、成形品の側面に磁力の強い放射状の磁極を発生させる。
【００３６】
このような成形方法とすることにより、焼結磁石をパイプに嵌め込んで軸部材とする従来の構成と比較して、速く、そして安く柱状ボンド磁石を軸部材として製造することができる。また、本形態の柱状ボンド磁石は、上述したような配向用の永久磁石により強い磁力が発生させられているとともに、従来の構成のようなパイプを必要としない。そのため、本形態の柱状ボンド磁石を軸部材として構成したシャフト型リニアモータは、柱状ボンド磁石から強い推進力を得ることができる。
【００３７】
以下、本発明に係る実施例について詳述する。なお、本発明は以下に示す実施例のみに限定されないことは言うまでもない。
【実施例１】
【００３８】
（コンパウンドの作製）
異方性のＳｍ−Ｆｅ−Ｎ系磁性粉末９０００ｇと１２ナイロン８５０ｇと潤滑剤としてステアリン酸亜鉛５０gをミキサーで混合する。得られた混合粉を、単軸混練機を用いて２２０℃で混練し、冷却後ストランドカッターにより適当な大きさに切断しペレット状のコンパウンドを得る。
【００３９】
（円柱状ボンド磁石の作製）
射出成形機のキャビティは、内径５ｍｍ、全長７０ｍｍの円柱状とする。幅が５ｍｍで、幅方向にアキシャル配向した市販のＮｄＦｅＢ焼結磁石（Ｂｒ＝１．３５Ｔ）を、同種の磁極が対向するように磁石同士を接着させて構成した配向用の永久磁石２０１、２０２を、図４に示すようにキャビティ２０５を囲むように設置する。
【００４０】
射出成形機は、コンパウンドを溶融させるシリンダーの温度を２３０℃とし、キャビティ温度を９０℃に設定する。射出成形の条件は、射出圧１００ＭＰａ、射出速度８０ｍｍ／ｓ、冷却時間８秒とする。一回の射出成形によって、直径５ｍｍ、全長７０ｍｍ、配向ピッチ５ｍｍの円柱状ボンド磁石が得られる。
【００４１】
これをパルス方式の着磁機と着磁コイルにより着磁することにより、円柱状ボンド磁石からなる軸部材を得る。
【００４２】
（シャフト型リニアモータの作製）
図１に示されるように、コイル部材１０４が配置されたハウジング１０３の内周部に軸受け部材１０２を固定する。さらに、円柱状ボンド磁石により構成した軸部材１０１を軸受け部材１０２に締まり嵌めさせた後、図６に示されるように、支持プレート４０１を介して軸部材１０１を支持基板４０２に固定することによりシャフト型リニアモータを得る。コイル部材１０４に配置させるコイルは、線径０．２ｍｍのエナメル線を内周が６ｍｍ、長さ４ｍｍの範囲に２００回巻いた。コイルは、電流の大きさを制御する装置を介して、２．４Ｖの直流電源に繋がっている。
【００４３】
（評価）
磁石部品の表面粗さを、ミツトヨ製ＳＵＲＦＴＥＳＴ  ＳＶ−６４８により測定した。円柱状ボンド磁石の長手方向に１０ｍｍの距離を測定して、最も高い所と最も低い所の差を表面粗さとした。摺動抵抗を評価する指標として駆動電流を測定する。駆動電流は、１．５Ｖの直流電圧でコイルに徐々に電流を流して行き、軸部材１０１が動き始める時の電流値として測定した。
＜比較例１＞
円柱状ボンド磁石の材料に潤滑剤を含有させない他は、実施例1と同様にしてシャフト型リニアモータを作製した。
【実施例２】
【００４４】
円柱状ボンド磁石の材料である磁性粉末を異方性のＮｄ−Ｆｅ−Ｂ系とする他は、実施例1と同様にしてシャフト型リニアモータを作製した。
【００４５】
上述した実施例１、２および比較例１の測定結果を以下の表１にまとめる。
【００４６】
【表１】
0005509803.tif 000002
【００４７】
表１より、潤滑剤を入れている円柱状磁石のほうが、潤滑剤を入れない円柱状磁石よりも駆動電流が小さいので、摺動抵抗が小さいことが分かる。また、実施例１と実施例２の比較より、磁性粉末として異方性Ｓｍ−Ｆｅ−Ｎを使用したものが、駆動電流が小さいので摺動抵抗が小さいことが分かる。
【産業上の利用可能性】
【００４８】
本発明は、直進運動を行うシャフト型リニアモータとして様々な産業用機械の分野で利用することができる。
【符号の説明】
【００４９】
１０１・・・軸部材、１０２・・・軸受け部材、１０３・・・ハウジング、１０４・・・コイル部材、１０５・・・貫通孔、１０６・・・溝、２０１、２０２・・・配向用の永久磁石、２０３・・・エジェクタピン、２０４・・・金型、２０５・・・キャビティ、３０１・・・パイプ、３０２・・・蓋、４０１・・・支持プレート、４０２・・・支持基板。
【図１】
0005509803.tif 000003
【図２】
0005509803.tif 000004
【図３】
0005509803.tif 000005
【図４】
0005509803.tif 000006
【図５】
0005509803.tif 000007
【図６】
0005509803.tif 000008
【図７】
0005509803.tif 000009
【図８】
0005509803.tif 000010